(57)【要約】      （修正有）【課題】トナー残量が少なくなったとき、一律に処理を制限することしかできない。トナー残量が少なくなった場合に、管理者が適切な制限を設定できるようにした画像形成装置を提供する。【解決手段】画像形成装置の状態情報を取得する機器情報取得手段と、ユーザを認証する手段と、認証したユーザの権限情報を特定する手段と、ユーザの権限情報から、画像形成装置の状態に応じて画像形成方法を制御する機器制御情報を取得する手段と、機器情報取得手段で取得した画像形成装置の状態情報と機器制御情報とで、画像形成装置の動作制限を判断する画像形成処理制御手段と、を有することを特徴とする。【選択図】図４
2013217961.tif 000002
【特許請求の範囲】
【請求項１】
画像形成装置の状態情報を取得する機器情報取得手段（ステップ４０３）と、
ユーザを認証する手段（３０２）と、
認証したユーザの権限情報を特定する手段（ステップＳ４０２）と、
前記ユーザの権限情報から、画像形成装置の状態に応じて画像形成方法を制御する機器制御情報を取得する手段（ステップＳ４０６）と、
前記機器情報取得手段で取得した画像形成装置の状態情報と前記機器制御情報とで、画像形成装置の動作制限を判断する画像形成処理制御手段（ステップＳ４０７）と、
を有することを特徴とする画像形成装置。
【請求項２】
さらに、ユーザ認証処理実行時に、前記画像形成処理制御手段を実行することを特徴とする請求項１に記載の画像形成装置。（図４）
【請求項３】
前記機器情報取得手段で取得する情報にトナー残量の情報を含み、前記機器制御情報には、トナー残量が少ない場合には省トナーモードに切り替える、もしくは印刷を許可しないことを含み（ステップ４０６〜４０９）、トナー残量とユーザの権限情報によって、印刷するモードを切り替えることを特徴とする請求項１に記載の画像形成装置。
【請求項４】
さらに、前記トナー残量の情報は、黒トナーとその他のトナーの残量を別々の情報として含み、前記機器制御情報には、黒トナー残量が少ない場合と、その他のトナーが少ない場合とを別々の情報として持ち（図８）、その他のトナー残量が少ない場合には強制モノクロ印刷モードに切り替えることを含むことを特徴とする請求項３に記載の画像形成装置。（ステップＳ９１２）
【発明の詳細な説明】
【技術分野】
【０００１】
本発明は、画像形成装置における、制御方法およびプログラムに関するものである。
【背景技術】
【０００２】
従来の画像形成装置のうち、トナーカセットに含まれるトナーの量が少なくなった時、ユーザに対しトナーカセットの交換を促すメッセージを表示部に表示し、トナーカセットの交換が行なわれない場合は、消費するトナー量を通常印刷のモードより減少させる省トナーモード印刷に印刷モードを自動的に切り替えて印刷を続行するものが知られている（特許文献１）。また、ユーザにトナーの量が少なくなったことを通知して、ユーザが省トナーモード印刷へ簡単に切り替えられるようにするものが知られている（特許文献２）。
【先行技術文献】
【特許文献】
【０００３】
【特許文献１】特開平１０−３１９７８９号公報
【特許文献２】特開２００５−２０８３３９号公報
【発明の概要】
【発明が解決しようとする課題】
【０００４】
しかしながら、従来技術では、トナー残量が少なくなったときに、強制的に省トナーモード印刷にしてしまうため、重要な印刷等で省トナーモードにしたくない場合でも、通常の印刷を行うことができない。また、ユーザに通知してユーザに選択させる場合には、省トナーモード印刷にしたくないときに回避することは可能であるが、どんなユーザであっても省トナーモード印刷にしないことが可能であるため、管理者が意図した制限をかけることができない。
【０００５】
本発明は、上記問題を鑑みたものであり、トナー残量が少なくなった場合に、管理者が適切な制限を設定できるようにすることを目的とする。
【課題を解決するための手段】
【０００６】
本発明に係る画像形成装置の構成は、
画像形成装置の状態情報を取得する機器情報取得手段と、ユーザを認証する手段と、認証したユーザの権限情報を特定する手段と、前記ユーザの権限情報から、画像形成装置の状態に応じて画像形成方法を制御する機器制御情報を取得する手段と、前記機器情報取得手段で取得した画像形成装置の状態情報と前記機器制御情報とで、画像形成装置の動作制限を判断する画像形成処理制御手段と、を有することを特徴とする。
【発明の効果】
【０００７】
本発明に係る画像形成装置によれば、ユーザの権限だけではなく、画像形成装置の状態を含めて、ユーザの行える処理を制御／管理することができる。
【図面の簡単な説明】
【０００８】
【図１】システムの全体構成図
【図２】画像形成装置のブロック図
【図３】コントローラユニットで動作する認証ソフトウェアのブロック図
【図４】ユーザログイン時に実行される処理のフローチャート
【図５】ユーザ情報データベースの例
【図６】ロール権限情報データベースの例
【図７】ユーザログイン後に実行される処理のフローチャート
【図８】実施例３でのロール権限情報データベースの例
【図９】実施例３でのユーザログイン時に実行される処理のフローチャート
【発明を実施するための形態】
【０００９】
以下、本発明を実施するための最良の形態について図面を用いて説明する。
【００１０】
〔実施例１〕
図１は、実施例で説明するシステムの全体構成図である。コピーやFAX、文書データを印刷する機能を有するデジタル複合機１１０と、ユーザの認証とユーザの権限情報を管理するユーザ認証サーバー１２０が、ネットワーク１００を介して接続されている。ユーザがデジタル複合機１１０を使用する際、ユーザによって操作パネルに入力された認証情報を使用してユーザ認証サーバー１２０で認証を行う。そして、デジタル複合機１１０は、ユーザがデジタル複合機を使用する権限に関する権限情報を取得して、権限情報に応じた制御を行う。
【００１１】
図２は、デジタル複合機１１０の主要部の構成を示すブロック図である。
【００１２】
デジタル複合機１１０はコントローラユニット２００を含み、コントローラユニット２００には、画像入力デバイスであるスキャナ２４０や画像出力デバイスであるプリンタ２５０が接続されるとともに、操作部２３０が接続される。コントローラユニット２００は、スキャナ２４０で読み取られた画像データをプリンタ２５０により印刷出力するコピー機能を実現するための制御を行うとともに、ＬＡＮ２２１や公衆回線２２２（ＷＡＮ）に接続することによって、画像情報やデバイス情報の入出力を行うための制御を行う。
【００１３】
コントローラユニット２００は、具体的には、ＣＰＵ２０１を有し、ＣＰＵ２０１は、ＲＯＭ２０３に格納されているブートプログラムによりオペレーションシステム（ＯＳ）を立ち上げ、このＯＳ上で、ＨＤＤ（ハードディスクドライブ）２０４に格納されているアプリケーションプログラムを実行し、これによって各種処理を実行する。このＣＰＵ２０１の作業領域としてはＲＡＭ２０２が用いられる。ＲＡＭ２０２は、作業領域を提供するとともに、画像データを一時記憶するための画像メモリ領域を提供する。ＨＤＤ２０４は、上記アプリケーションプログラムや画像データを格納する。
【００１４】
ＣＰＵ２０１には、システムバス２０７を介して、ＲＯＭ２０３およびＲＡＭ２０２とともに、操作部Ｉ／Ｆ（操作部インタフェース）２０６、Ｎｅｔｗｏｒｋ２０９、ＭＯＤＥＭ２１０およびＩｍａｇｅ Ｂｕｓ Ｉ／Ｆ（イメージバスインタフェース）２０５が接続される。
【００１５】
操作部Ｉ／Ｆ２０６は、タッチパネルを有する操作部２３０とのインタフェースであり、操作部２３０に表示すべき画像データを操作部２３０に対して出力する。また、操作部Ｉ／Ｆ２０６は、操作部２３０においてユーザにより入力された情報をＣＰＵ２０１に送出する。
【００１６】
次に、Ｎｅｔｗｏｒｋ２０９は、ＬＡＮ２２１に接続され、ＬＡＮ２２１を介してＬＡＮ２２１上の各装置との間で情報の入出力を行う。ＭＯＤＥＭ２１０は、公衆回線２２２に接続され、公衆回線２２２を介して情報の入出力を行う。
【００１７】
Ｉｍａｇｅ Ｂｕｓ Ｉ／Ｆ２０５は、システムバス２０７と、画像データを高速で転送する画像バス２０８とを接続し、データ形式を変換するためのバスブリッジである。画像バス２０８は、ＰＣＩバスまたはＩＥＥＥ１３９４から構成される。画像バス２０８上には、ラスタイメージプロセッサ（以下、「ＲＩＰ」という）２１２、デバイスＩ／Ｆ２１３、スキャナ画像処理部２１４、プリンタ画像処理部２１５、画像回転部２１６、および画像圧縮部２１７、解像度変換部２１８、色空間変換部２１９、階調変換部２２０が設けられる。
【００１８】
ＲＩＰ２１２は、ＰＤＬコードをビットマップイメージに展開するプロセッサである。デバイスＩ／Ｆ２１３には、スキャナ２４０およびプリンタ２５０が接続され、デバイスＩ／Ｆ２１３は、画像データの同期系／非同期系の変換を行う。スキャナ画像処理部２１４は、入力画像データに対し補正、加工、編集を行う。また入力された画像がカラー原稿か白黒原稿かを画像の彩度信号から判断し、その結果を保持する機能を有する。プリンタ画像処理部２１５は、プリント出力画像データに対してプリンタ２５０に応じた補正、解像度変換などを行う。画像回転部２１６は、スキャナ画像処理と連携して、スキャナからの画像読み込みと同時に画像を回転しメモリ上に格納し、メモリ上にある画像を回転し、メモリ上に格納、もしくはメモリ上にある画像をプリンタ画像処理部と連携して回転しながら印字出力することができる。画像圧縮部２１７は、多値画像データをＪＰＥＧデータに、２値画像データをＪＢＩＧ、ＭＭＲ、ＭＨなどのデータに圧縮するとともに、その伸張処理を行う。解像度変換部２１８はメモリ上にある画像を解像度変換処理し、メモリ上に格納する。色空間変換部２１９はマトリクス演算により、たとえばメモリ上にあるＹＵＶ画像をＬａｂ画像に変換し、メモリ上に格納する。階調変換部２２０はたとえばメモリ上に８ｂｉｔ、２５６階調の画像を誤差拡散処理などの手法により１ｂｉｔ、２階調に変換し、メモリ上に格納する。
【００１９】
図３は、コントローラユニット２００上で実行される認証ソフトウェアのブロック図である。認証ソフトウェアは、ＨＤＤ２０４に格納されていて、ＲＡＭ２０２にロードされて、ＣＰＵ２０１によって実行される。
【００２０】
認証ソフトウェアは、処理全体を制御する制御部３０１、ユーザ認証サーバー１２０と通信してユーザ認証を行う認証処理部３０２、デジタル複合機１１０の装置状態を取得する状態取得部３０３、ユーザからの入力やユーザへの情報提示に関する情報の入出力を処理する入出力部３０４から構成される。
【００２１】
ユーザは、デジタル複合機１１０を使用する際、操作部２３０にユーザＩＤ／パスワードを入力して認証を行う。入力されたユーザＩＤ／パスワードは、認証ソフトウェアの入出力部３０４から制御部３０１に渡り、認証処理部３０２によって処理されて、ユーザ認証サーバー１２０と通信して、認証処理が実行される。ユーザ認証が成功すると、認証処理部３０２は、ユーザ認証サーバー１２０で管理されているユーザ権限情報をユーザ認証サーバー１２０から取得する。ここで、ユーザ権限情報を取得してからユーザにデジタル複合機１１０を使用可能状態にするまでにＣＰＵ２０１によって実行される認証ソフトウェアの処理を、図４のフローチャートを用いて説明する。
【００２２】
認証ソフトウェアの認証処理部３０２は、認証してログインに成功したユーザのロール情報をユーザ認証サーバー１２０から取得する（ステップＳ４０１）。図５に、ユーザ認証サーバー１２０で管理されているユーザ情報データベースの例を示す。例えば、ロールには、「Ａｄｍｉｎ」「Ｇｅｎｅｒａｌ」「Ｌｉｍｉｔｅｄ」が存在する。
【００２３】
次に、ステップＳ４０１で特定したロールに関する権限情報をユーザ認証サーバー１２０から取得する（ステップＳ４０２）。図６にユーザ認証サーバー１２０で管理されているロール権限データベースの例を示す。例えば、ユーザ0002の場合であれば、ロールが「Ｇｅｎｅｒａｌ」なので、省トナーモード「強制省トナーモード」などといったロールに関する権限情報が取得される。なお、ここで、ロールに関する権限情報がユーザ認証サーバー１２０にあることを前提に説明しているが、ユーザ認証サーバーとは別の場所で管理されている場合もあることは言うまでもない。
【００２４】
認証ソフトウェアの制御部３０１は、認証処理部３０２からユーザのロールに関する権限情報を取得したら、次に状態取得部３０３からデジタル複合機１１０の状態情報を取得する（ステップＳ４０３）。状態取得部３０３から取得した情報から、制御部３０１は、デジタル複合機１１０のトナー残量に関する情報を取得する（ステップＳ４０４）。
【００２５】
制御部３０１は、状態取得部３０３から取得したトナー残量に関する情報から、トナー残量が規定値未満であるかどうかの判断を行う（ステップＳ４０５）。ここでトナー残量が規定値未満であると判断された場合は、ステップＳ４０６へ進む。制御部３０１は、ステップＳ４０２で取得した権限情報のうち省トナーモード権限情報を特定する。例えば、ユーザ0002の場合、省トナーモード「強制省トナーモード」という権限情報が特定される。ユーザ0002の場合、特定した省トナーモードに関する権限情報が、強制的に省トナーモードへ設定する権限であるため、制御部３０１は強制省トナーモード権限であると判断し、ステップＳ４０７へ進む。制御部３０１は、省トナーモードに設定することを、入出力部３０４から指示して、デジタル複合機１１０の実行モードを省トナーモードに切り替える（ステップＳ４０７）。なお、トナー残量の規定値については、いくつであっても本特許には影響しないため、値は明示しない。
【００２６】
ステップＳ４０５で制御部が、トナー残量が規定値以上であると判断した場合や、ステップＳ４０６で制御部が、ロール権限が省トナーモードに変更しない任意権限であると判断した場合には、ステップＳ４０８に進む。ステップＳ４０８では、制御部が通常の印刷モードに設定することを、入出力部３０４から指示して、デジタル複合機１１０の実行モードを通常モードに設定する。
【００２７】
ステップＳ４０６で制御部が、ロール権限が印刷を許可しない権限であると判断した場合には、ステップＳ４０９へ進む。ステップＳ４０９では、制御部が、印刷を実行できない印刷不可モードに設定することを、入出力部３０４から指示して、デジタル複合機１１０の実行モードを印刷不可モードに設定する。
【００２８】
以上説明したように、本実施例によれば、トナー残量が規定値未満になって、トナーの消費量を抑えたい場合、使用するユーザの権限に応じて省トナーモードに変更したり、印刷を許可しない設定に変更したりすることが可能となる。そのため、トナー残量が少なくなった場合には、権限を有したユーザしか通常の印刷を行うことができなくなるため、重要性の低い印刷を制限し、管理者が容易に、トナーの消費量を抑える管理を行うことが可能となる。
【００２９】
〔実施例２〕
本実施例では、実施例１とは異なり、ユーザがログインして処理を実行しているときにトナー残量が規定値を下回った場合の処理例について説明する。説明は、実施例１と異なる点のみ行う。認証ソフトウェアが実行する処理フローチャートを図７に示す。
【００３０】
制御部３０１は、状態取得部３０３からデジタル複合機のトナー残量を定期的に取得して、デジタル複合機のトナー残量に変化があったかどうか監視している（ステップＳ７０１）。ここで特に変化がなかった場合には、ステップＳ７０９へ進み、制御部は、ユーザがログアウト要求を行ったかどうか判断して、ログアウト要求がなければ再びステップＳ７０１へ戻る。なお、ログアウト要求があれば処理終了となる。
【００３１】
ステップＳ７０１で、制御部３０１がデジタル複合機のトナー残量変化を検知した場合、ステップＳ７０２へ進む。制御部３０１は、状態取得部３０３から、デジタル複合機のトナー残量に関する情報を取得する（ステップＳ７０２）。制御部３０１は、状態取得部３０３から取得したトナー残量に関する情報から、トナー残量が規定値未満であるかどうかの判断を行う（ステップＳ７０３）。ここでトナー残量が規定値未満であると判断された場合は、ステップＳ７０４へ進む。ステップＳ７０４で、制御部３０１は、ステップＳ４０２で取得した権限情報のうち省トナーモード権限情報を特定する。例えば、ユーザ0002の場合、省トナーモード「強制省トナーモード」という権限情報が特定される。ユーザ0002の場合、特定した省トナーモードに関する権限情報が、強制的に省トナーモードへ設定する権限であるため、制御部３０１は強制省トナーモード権限であると判断し、ステップＳ７０６へ進む。制御部３０１は、省トナーモードに設定することを、入出力部３０４から指示して、デジタル複合機１１０の実行モードを省トナーモードに切り替える（ステップＳ７０６）。そして、制御部３０１は、入出力部３０４から、以降の印刷ジョブは省トナーモードで実行されることをユーザに通知して（ステップＳ７０７）、ステップＳ７０９へ進む。
【００３２】
ステップＳ７０３で制御部が、トナー残量が規定値以上であると判断した場合は、ステップＳ７０９へ進む。
【００３３】
ステップＳ７０５で制御部が、ロール権限が省トナーモードに変更しない任意権限であると判断した場合には、特になにも変更する必要がないため、ステップＳ７０９に進む。
【００３４】
ステップＳ７０５で制御部が、ロール権限が印刷を許可しない権限であると判断した場合には、ステップＳ７０８へ進む。ステップＳ７０８では、制御部が、印刷を実行できない印刷不可モードに設定することを、入出力部３０４から指示して、デジタル複合機１１０の実行モードを印刷不可モードに設定する。そして、制御部３０１は、入出力部３０４から、以降の印刷ジョブは実行できないことをユーザに通知して（ステップＳ７０７）、ステップＳ７０９へ進む。
【００３５】
以上説明したように、ユーザログイン時にはトナー残量が規定値以上存在したため通常の印刷モードで実行中であっても、トナー残量が規定値未満になったタイミングでユーザの権限に応じた実行モードに切り替えることが可能であるため、管理者が容易に、トナーの消費量を抑える管理を行うことが可能となる。
【００３６】
〔実施例３〕
本実施例では、実施例１、２とは異なり、黒（ＢＫ）トナーとシアン／マゼンタ／イエローのカラー（ＣＬ）トナーで別々に、トナー残量が規定値を下回った場合の処理例について説明する。説明は、実施例１、２と異なる点のみ行う。図８に、ユーザ認証サーバー１２０で管理されているロール権限データベースの例を示す。例えば「Ｇｅｎｅｒａｌ」ロールの場合、ＢＫトナーがトナー残量の規定値未満になった場合には「強制省トナーモード」、ＣＬトナーがトナー残量の規定値未満になった場合には「強制モノクロモード」、が設定されている。
【００３７】
ユーザ権限情報を取得してからユーザにデジタル複合機１１０を使用可能状態にするまでにＣＰＵ２０１によって実行される認証ソフトウェアの処理を、図９のフローチャートを用いて説明する。
【００３８】
認証ソフトウェアの認証処理部３０２は、認証してログインに成功したユーザのロール情報をユーザ認証サーバー１２０から取得する（ステップＳ９０１）。
【００３９】
次に、ステップＳ９０１で特定したロールに関する権限情報をユーザ認証サーバー１２０から取得する（ステップＳ９０２）。図８に示すユーザ認証サーバー１２０で管理されているロール権限データベースの例を用いて説明する。例えば、ユーザ0002の場合であれば、ロールが「Ｇｅｎｅｒａｌ」なので、省トナーモード（ＢＫ）「強制省トナーモード」、省トナーモード（ＣＬ）「強制モノクロ印刷モード」などといったロールに関する権限情報が取得される。
【００４０】
認証ソフトウェアの制御部３０１は、認証処理部３０２からユーザのロールに関する権限情報を取得したら、次に状態取得部３０３からデジタル複合機１１０の状態情報を取得する（ステップＳ９０３）。状態取得部３０３から取得した情報から、制御部３０１は、デジタル複合機１１０のトナー残量に関する情報を取得する（ステップＳ９０４）。
【００４１】
制御部３０１は、状態取得部３０３から取得したＢＫトナー残量に関する情報から、ＢＫトナー残量が規定値未満であるかどうかの判断を行う（ステップＳ９０５）。ここでＢＫトナー残量が規定値未満であると判断された場合は、ステップＳ９０６へ進む。制御部３０１は、ステップＳ９０２で取得した権限情報のうち省トナーモード（ＢＫ）権限情報を特定する。例えば、ユーザ0002の場合、省トナーモード（ＢＫ）「強制省トナーモード」という権限情報が特定される。ユーザ0002の場合、特定した省トナーモード（ＢＫ）に関する権限情報が、強制的に省トナーモードへ設定する権限であるため、制御部３０１は強制省トナーモード権限であると判断し、ステップＳ９０７へ進む。制御部３０１は、省トナーモードに設定することを、入出力部３０４から指示して、デジタル複合機１１０の実行モードを省トナーモードに切り替える（ステップＳ９０７）。
【００４２】
ステップＳ９０５で制御部が、ＢＫトナー残量が規定値以上であると判断した場合、ステップＳ９１０へ進む。制御部３０１は、状態取得部３０３から取得したＣＬトナー残量に関する情報から、ＣＬトナー（シアン／マゼンタ／イエローのいずれかの）残量が規定値未満であるかどうかの判断を行う（ステップＳ９１０）。ここでＣＬトナー残量が規定値未満であると判断された場合は、ステップＳ９１１へ進む。制御部３０１は、ステップＳ９０２で取得した権限情報のうち省トナーモード（ＣＬ）権限情報を特定する。例えば、ユーザ0002の場合、省トナーモード（ＣＬ）「強制モノクロ印刷モード」という権限情報が特定される。ユーザ0002の場合、特定した省トナーモード（ＣＬ）に関する権限情報が、強制的にモノクロ印刷を行うモードへ設定する権限であるため、制御部３０１は強制モノクロ印刷モード権限であると判断し、ステップＳ９１２へ進む。制御部３０１は、強制モノクロ印刷モードに設定することを、入出力部３０４から指示して、デジタル複合機１１０の実行モードを強制モノクロ印刷モードに切り替える（ステップＳ９１２）。
【００４３】
ステップＳ９１１で制御部が、ロール権限が任意権限であると判断した場合には、ステップＳ９０８に進む。ステップＳ９０８では、制御部が通常の印刷モードに設定することを、入出力部３０４から指示して、デジタル複合機１１０の実行モードを通常モードに設定する。
【００４４】
ステップＳ９１１で制御部が、ロール権限が印刷を許可しない権限であると判断した場合には、ステップＳ９０９へ進む。ステップＳ９０９では、制御部が、印刷を実行できない印刷不可モードに設定することを、入出力部３０４から指示して、デジタル複合機１１０の実行モードを印刷不可モードに設定する。
【００４５】
ステップＳ９１１で制御部が、ロール権限が強制的に省トナーモードに変更する権限であると判断した場合には、ステップＳ９０７へ進む。ステップＳ９０７では、制御部が、省トナーモードに設定することを、入出力部３０４から指示して、デジタル複合機１１０の実行モードを省トナーモードに設定する。
【００４６】
ステップＳ９０６で制御部が、ロール権限が任意権限であると判断した場合には、ステップＳ９０８に進む。ステップＳ９０８では、制御部が通常の印刷モードに設定することを、入出力部３０４から指示して、デジタル複合機１１０の実行モードを通常モードに設定する。
【００４７】
ステップＳ９０６で制御部が、ロール権限が印刷を許可しない権限であると判断した場合には、ステップＳ９０９へ進む。ステップＳ９０９では、制御部が、印刷を実行できない印刷不可モードに設定することを、入出力部３０４から指示して、デジタル複合機１１０の実行モードを印刷不可モードに設定する。
【００４８】
以上説明したように、カラーのトナー残量が少なくなったが、黒トナーの残量が残っている場合には、強制モノクロモードにして、カラーのトナー消費のみを抑えるというような管理も行える。そのため、管理者は、容易に効果的にトナー消費量を抑える管理を行うことが可能である。
【００４９】
第三の実施例では、ユーザログイン時の処理のみを説明しているが、第二の実施例で説明したように、ログイン後も同様の処理を行えることは言うまでもない。
【００５０】
本発明の実施例では、トナー残量の検知を例に説明をしたが、例えば廃トナー量が一定以上になったらＧｅｎｅｒａｌユーザは省トナーモードにする、といったことも行えることは明白である。
【符号の説明】
【００５１】
１００  ネットワーク
１１０  デジタル複合機
１２０  ユーザ認証サーバー
【図１】
2013217961.tif 000003
【図２】
2013217961.tif 000004
【図３】
2013217961.tif 000005
【図４】
2013217961.tif 000006
【図５】
2013217961.tif 000007
【図６】
2013217961.tif 000008
【図７】
2013217961.tif 000009
【図８】
2013217961.tif 000010
【図９】
2013217961.tif 000011